(57)【特許請求の範囲】
【請求項１】
スロットから挿入されるディスク媒体を記録位置または再生位置まで搬入して、前記ディスク媒体の情報を記録または再生すると共に、記録位置または再生位置の前記ディスク媒体を前記スロットに向かって搬出するデッキと、
前記スロットが形成されると共に、前記デッキをその内部に上下動可能に収納するケース体と、
を有するディスク装置において、
前記デッキは、両側方に、前記ディスク媒体の搬送方向に沿ってスライドし、かつ上方に向かって突出する段差部を有するスライド部材を備え、
前記ケース体は、天面に前記段差部と対応するように下方に向かって突出する突出部を備え、
前記スライド部材は、スライドすることによって前記突出部が前記段差部の上に乗り上がり、前記デッキが下方に向かって押圧されることによって、前記デッキを前記ディスク媒体が前記スロットに挿入または排出される際に前記ケース体に対して水平な状態で前記スロットに挿入または排出されるように、前記デッキの奥側を前記ケース体に対して下方に傾かせる、
ことを特徴とするディスク装置。
【請求項２】
前記デッキと前記ケース体の底板との間には弾性部材が介在されていることを特徴とする請求項１に記載のディスク装置。
【請求項３】
前記突出部および前記段差部は、前記ディスク媒体の搬送方向に沿ってそれぞれ２つずつ設けられていることを特徴とする請求項１または２に記載のディスク装置。
【請求項４】
前記ディスク媒体の搬送方向に沿って設けられる２つの突出部の突出量は異なることを特徴とする請求項３記載のディスク装置。
【発明の詳細な説明】
【技術分野】
【０００１】
本発明は、ディスク装置に関する。
【背景技術】
【０００２】
従来から、スロットイン式のディスク再生装置やディスク記録装置では、スロットに挿入されるディスク媒体は、ディスク装置の内部に配設されるディスクローディング機構によって、ディスク装着位置まで搬送される。また、ディスク媒体を排出する際には、該ディスク媒体はディスクローディング機構によって、排出位置まで搬送される（特許文献１参照）。
【０００３】
【特許文献１】特開２００６−３３８７７８号公報（要約書）
【発明の開示】
【発明が解決しようとする課題】
【０００４】
しかしながら、特許文献１記載のディスク再生機構では、ディスク媒体の左右両側の外縁部のみを保持部材で保持した状態で、該ディスク媒体を搬送したり搬出したりしている。このため、搬送中のディスク媒体を常時、水平状態に維持することは困難であり、ディスク媒体自身の自重によって該ディスク媒体がメカ本体に対し下向きに傾いてしまう。この傾きは、ディスク媒体の挿入時および排出時に顕著に表れるため、ディスク媒体の挿入時および排出時の傾きを考慮してスロットの位置決めを行わなければならず、スロットの位置決めに高い精度が要求されるといった問題がある。
【０００５】
本発明は、かかる問題に鑑みてなされたものであり、その目的とするところは、挿入時および排出時のディスク媒体の角度を水平にすることが可能なディスク装置を提供しようとするものである。
【課題を解決するための手段】
【０００６】
上記課題を解決するために、本発明は、スロットから挿入されるディスク媒体を記録位置または再生位置まで搬入して、ディスク媒体の情報を記録または再生すると共に、記録位置または再生位置のディスク媒体をスロットに向かって搬出するデッキと、スロットが形成されると共に、デッキをその内部に上下動可能に収納するケース体と、を有するディスク装置において、デッキは、両側方に、ディスク媒体の搬送方向に沿ってスライドし、かつ上方に向かって突出する段差部を有するスライド部材を備え、ケース体は、天面に段差部と対応するように下方に向かって突出する突出部を備え、スライド部材は、スライドすることによって突出部が段差部の上に乗り上がり、デッキが下方に向かって押圧されることによって、デッキをディスク媒体がスロットに挿入または排出される際にケース体に対して水平な状態でスロットに挿入または排出されるように、デッキの奥側をケース体に対して下方に傾かせるものである。
【０００８】
さらに、他の発明は、上述の発明に加えて更に、デッキとケース体の底板との間には弾性部材が介在されているものである。
【０００９】
また、他の発明は、上述の発明に加えて更に、突出部および段差部を、ディスク媒体の搬送方向に沿ってそれぞれ２つずつ設けたものである。
【００１０】
さらに、他の発明は、上述の発明に加えて更に、ディスク媒体の搬送方向に沿って設けられる２つの突出部の突出量は異なるものである。
【発明の効果】
【００１１】
本発明によると、挿入時および排出時のディスク媒体の角度を水平にすることが可能なディスク装置を提供することができる。
【発明を実施するための最良の形態】
【００１２】
以下、本発明の一実施の形態に係るディスク装置１０について、図面を参照しながら説明する。このディスク装置１０は再生装置となっているが、記録装置や記録再生装置としても良い。なお、以下の説明において、図１〜図１０に示す矢示Ｘ１方向を前方、矢示Ｘ２方向を後方、このＸ１方向とＸ２方向と水平方向で直交する方向となる矢示Ｙ１方向を左方、矢示Ｙ２方向を右方、このＸＹ平面と直交する方向の矢示Ｚ１方向を上方および矢示Ｚ２方向を下方とそれぞれ規定する。
【００１３】
図１は、本発明の一実施の形態に係るディスク装置１０のメカ機構部の斜視図である。図２は、本発明の一実施の形態に係るディスク装置１０からケース体１２のカバー１８を取り除いた状態を示す斜視図であり、左スライド部材７２が最も後方の位置まで移動し、右スライド部材７３が最も前方の位置まで移動した状態を示す図である。図３は、図１中のカバー１８を裏返した状態を示す斜視図である。図４は、本発明の一実施の形態に係るディスク装置１０からケース体１２のカバー１８を取り除いた状態を示す斜視図であり、左スライド部材７２が最も前方の位置まで移動し、右スライド部材７３が最も後方の位置まで移動した状態を示す図である。
【００１４】
図１および図２に示すように、ディスク装置１０は、ディスク媒体であるＣＤ、ＤＶＤなどの光ディスクＡを再生するスロットイン方式のディスク再生装置である。このディスク装置１０は略直方体の箱型形状を有するケース体１２と、該ケース体１２の内部に備えられ、光ディスクＡに記録されている情報を読み取り、再生する再生デッキ１４とを有している。ケース体１２には、光ディスクＡを挿入または排出するためのスロット１６が設けられている。スロット１６は略矩形状の形態を有しており、その長手方向の口径は挿入される光ディスクＡの直径に対応するように形成されている。このスロット１６に挿入される光ディスクＡは、後述するディスクガイド６２によって保持されながら再生デッキ１４のクランプ位置まで搬送される。なお、ディスク媒体として、光ディスクＡの代わりに磁気ディスク等の他の種類のディスク媒体を挿入するようにしても良い。
【００１５】
図１に示すように、ケース体１２は、カバー１８と、ベース２０とを有する。図１および図３に示すように、カバー１８は、略四角形の形態を有する天板部２１と、天板部２１の左右両端から下方に向かって立ち下がる左鍔部２２および右鍔部２３と有する。左鍔部２２および右鍔部２３の前端側および後端側は、それぞれ略Ｌ字状もしくは略逆Ｌ字状に切り欠かれている。また、カバー１８は、天板部２１の後端における左右の２箇所から立ち下がる後鍔部２４，２４と、天板部２１の前端から立ち下がる前鍔部２５を有する。
【００１６】
天板部２１には複数の開口部が形成されている。具体的には、天板部２１の略中央には、前方に向かって凸状の形態を有する凸状開口部２６が形成されている。また、該凸状開口部２６の前方には、略台形形状の形態を有する台形開口部２７が形成されている。カバー１８をベース２０に取り付けた状態では、凸状開口部２６からは後述するクランプアーム６３が臨めるようになっており、台形開口部２７からは後述するディスクガイド６２が臨めるようになっている。また、台形開口部２７の左右両側には、中心を通るＸＺ平面を中心として左右対称となるように略小判形状の形態を有する小判開口部２８，２８が合計２つ形成されている。さらに、凸状開口部２６の左右両側には、中心を通るＸＺ平面を中心として左右対称となるように中心側に向かって凸状の形態を有する内側凸状開口部３０，３０が合計２つ形成されている。また、小判開口部２８の前方には、中心を通るＸＺ平面を中心として左右対称となるように天板部２１の前端から後方に向かって略矩形状に切り欠かれた矩形開口部３１，３１が合計２つ形成されている。さらに、天板部２１の後端側における２つの角部近傍には、中心を通るＸＺ平面を中心として左右対称となるように略半小判形状の形態を有する半小判開口部３２，３２が合計２つ形成されている。また、凸状開口部２６の前方および後方には、略直方体形状を有する緩衝材３３，３４が配設されている。緩衝材３３，３４の材料としては、ゴム等の弾性部材を好適に用いることができるが、当該材料はゴム等に限定されるものではない。
【００１７】
天板部２１における右側の半小判開口部３２の右斜め前方には、該天板部２１の左右両側を前後方向に切り裂いて、その切り裂かれた部分を下方に向かって凸状に押し曲げた右後凸部３５が設けられている。天板部２１における右側の内側凸状開口部３０の右斜め前方には、該天板部２１の左右両側を前後方向に切り裂いて、その切り裂かれた部分を下方に向かって凸状に押し曲げた右前凸部３６が設けられている。また、天板部２１における左側の半小判開口部３２の左側には、該天板部２１の左右両側を前後方向に切り裂いて、その切り裂かれた部分を下方に向かって凸状に押し曲げた左後凸部３７が設けられている。さらに、天板部２１における左側の内側凸状開口部３０の左斜め前方には、該天板部２１の左右両側を前後方向に切り裂いて、その切り裂かれた部分を下方に向かって凸状に押し曲げた左前凸部３８が設けられている。右後凸部３５および右前凸部３６と、左後凸部３７および左前凸部３８は、左右方向において中心を通るＸＺ平面を中心として左右対称の位置に設けられている。また、前後方向の位置関係に関しては、右後凸部３５は左後凸部３７よりも前方に設けられており、右前凸部３６は左前凸部３８よりもやや前方に設けられている。右後凸部３５、右前凸部３６、左後凸部３７および左前凸部３８は、共に前後方向に向かって、山なりの形態となるように押し曲げられている。
【００１８】
また、天板部２１における前方の２つの角部近傍には、なめらかな段差を介して下方に向かって一段低く形成される角領域４０，４０が形成されている。この角領域４０には前後に並んで合計２つのネジ穴４０ａが形成されている。また、天板部２１の左右両端における角領域４０の後側からは、それぞれ左右方向外方に向かって左前延出部４１および右前延出部４２がそれぞれ延出している。左前延出部４１および右前延出部４２にも、前後に並んで合計２つのネジ穴４１ａおよびネジ穴４２ａがそれぞれ形成されている。また、天板部２１の左端における左後凸部３７の左側からは左方向外方に向かって左後延出部４３が延出している。左後延出部４３には、斜め方向に沿って合計２つのネジ穴４３ａが形成されている。また、天板部２１の後端における右側の後鍔部２４と右側に隣接する位置からは後方に向かって後方延出部４４が延出している。後方延出部４４の中央には、ネジ穴４４ａが形成されている。
【００１９】
図２等に示すように、ベース２０は、上方が開口した開口領域２９を有する略四角形の箱型形状を呈している。ベース２０は、略四角形の形態を有する底板部５０と、該底板部５０の左右両端から上方に向かって立設する左壁部５１および右壁部５２を有する。また、ベース２０は、該底板部５０の前後両端から上方に向かって立設する前壁部５３および後壁部５４を有する。左壁部５１の上端面における前後両端部近傍からは、左方向外方に向かって左前延出部５５および左後延出部５６がそれぞれ延出している。左前延出部５５には前後に並んで合計２つのネジ穴５５ａが形成されている。左後延出部５６には、斜め方向に沿って合計２つのネジ穴５６ａが形成されている。右壁部５２の上端面における前端部近傍からは、右方向外方に向かって右前延出部５７が延出している。右前延出部５７には前後に並んで合計２つのネジ穴５７ａが形成されている。後壁部５４の上端面における右端部近傍からは後方に向かって後方延出部５８が延出している。後方延出部５８の中央には、ネジ穴５８ａが形成されている。
【００２０】
前壁部５３は、左右両端部のみが左壁部５１および右壁部５２と略同一の高さに形成され、左右両端部によって挟まれた中央領域５３ａは、該左右両端部よりも低い高さに形成されている。さらに、中央領域５３ａにおける左右方向中央部は、その左右両側の両端部５３ｃ，５３ｃよりも一段低くなるように形成されている。また、前壁部５３の左端部および右端部のそれぞれの上端面からは後方に向かって、後方鍔部６０，６０が延出している。後方鍔部６０，６０における前方側にはネジ穴６０ａが形成され、ネジ穴６０ａの後方には上方に向かって略半球状に突出する半球突出部６０ｂが形成されている。
【００２１】
図１および図２に示すように、デッキとなる再生デッキ１４は、ベース２０の開口領域２９内に配置され、ベース２０の上方をカバー１８で塞ぐことによって、ケース体１２の内部に収納される。また、再生デッキ１４は、ベース２０との間に後述する弾性部材となるダンパ８４（図５等参照）を介在させて開口領域２９内に配置される。ダンパ８４は開口領域２９の四隅近傍に配設される。カバー１８は、その左前延出部４１、右前延出部４２、左後延出部４３および後方延出部４４のそれぞれが、ベース２０の左前延出部５５、右前延出部５７、左後延出部５６および後方延出部５８のそれぞれと一致するようにベース２０の上方に配置される。そして、各延出部４１，４２，４３，４４に設けられるネジ穴４１ａ，４２ａ，４３ａ，４４ａと各延出部５５，５７，５６，５８に設けられるネジ穴５５ａ，５７ａ，５６ａ，５８ａとにネジを螺入させることによってカバー１８がベース２０に対して固定される。また、カバー１８がベース２０上に配置された状態では、角領域４０，４０と後方鍔部６０，６０も一致しており、角領域４０と後方鍔部６０のそれぞれに設けられる前方のネジ穴４０ａ，６０ａにネジが螺入される。その際、角領域４０の後方のネジ穴４０ａには半球突出部６０ｂが嵌まり込む。
【００２２】
図２に示すように、再生デッキ１４は、スロット１６に挿入された光ディスクＡを送りローラ９３（図７等参照）とで狭持しながらクランプ位置まで案内するディスクガイド６２と、クランプ位置まで搬送されてきた光ディスクＡを後述するスピンドルモータ９４に取り付けられたターンテーブル９５（図７等参照）に向かって押圧するクランプアーム６３とを有する。クランプアーム６３の先端には光ディスクＡを押圧してターンテーブル９５に装着させるクランパ６４が設けられている。ディスクガイド６２は、下側ガイド部６２ａと、下側ガイド部６２ａの上方に取り付けられる上側ガイド部６２ｂとを有する。スロット１６に挿入された光ディスクＡは下側ガイド部６２ａの下側を通過してクランプ位置まで搬送される。また、下側ガイド部６２ａの下側には、搬送される光ディスクＡを左右方向略中央に位置決めするための位置決め部材６５が中心を通るＸＺ平面を中心として左右対称に配設されている。位置決め部材６５の先端には、上方に突出する位置決めピン６５ａが設けられている。これら位置決めピン６５ａは下側ガイド部６２ａよりも手前側に位置しており、該位置決めピン６５ａが光ディスクＡの外周部と当接することにより光ディスクＡの左右方向の位置決めがなされる。
【００２３】
図２に示すように、クランプアーム６３の左端には左方に延出した後、前方に向かって延出する左Ｌ状延出部６６が設けられている。左Ｌ状延出部６６における左方に延出する部分には、つる巻バネ６７が券回されている。つる巻バネ６７の一端部６７ａは不図示の係止部に引っ掛けられており、他端部６７ｂは、ディスクガイド６２における左側かつ後端部近傍に設けられる係止部６８に引っ掛けられている。このため、クランプアーム６３の前端側には、つる巻バネ６７の付勢力により下方に向かう押圧力が作用している。左Ｌ状延出部６６のうち前方に向かって延出する左前方延出部６６ａは、下方に向かって略Ｖ字状に折り曲がっている。一方、クランプアーム６３の右端には右方に延出した後、後方に向かって延出する右Ｌ状延出部７０が設けられている。右Ｌ状延出部７０のうち後方に向かって延出する右後方延出部７０ａは下方に向かって略Ｖ字状に折り曲がっている。
【００２４】
また、再生デッキ１４の左右両側には、前後方向にスライド可能な左スライド部材７２および右スライド部材７３がそれぞれ取り付けられる。当該左スライド部材７２および右スライド部材７３は、不図示の駆動機構によって駆動されることにより、再生デッキ１４に対して所定量だけ前後方向に向かってスライドする。左スライド部材７２には、上方に向かって一段高くなるような略段差状に突出する凸段部が前方から後方に向かって所定の間隔を隔てて３つ設けられている。以下の説明において、この３つの凸段部のうち、前方の凸段部を左前凸段部７４、中央の凸段部を左中凸段部７５、後方の凸段部を左後凸段部７６という。右スライド部材７３にも、上方に向かって一段高くなるような略段差状に突出する凸段部が前方から後方に向かって所定の間隔を隔てて３つ設けられている。以下の説明において、この３つの凸段部のうち、前方の凸段部を右前凸段部８０、中央の凸段部を右中凸段部８１、後方の凸段部を右後凸段部８２という。
【００２５】
本実施の形態では、光ディスクＡを搬入および搬出する際には、図２に示すように、左スライド部材７２が最も後方の位置まで移動し、右スライド部材７３が最も前方の位置まで移動している。以下の説明において、この状態を待機状態という。また、光ディスクＡがクランプ位置まで搬入され、光ディスクＡを記録・再生する際には、図４に示すように、左スライド部材７２が最も前方の位置まで移動し、右スライド部材７３が最も後方の位置まで移動している。以下の説明において、この状態を再生状態という。
【００２６】
図２および図５に示すように、待機状態では、左Ｌ状延出部６６が左スライド部７２の左中凸段部７５の上に乗りあがると共に、右Ｌ状延出部７０が右スライド部材７３の右中凸段部８１の上に乗りあがった状態となっている。このため、クランプアーム６３の前端部に設けられるクランパ６４はつる巻バネ６７の付勢力に抗して上方に押し上げられた状態となっている。したがって、待機状態では、光ディスクＡがクランプ位置にあっても、光ディスクＡはターンテーブル９５にクランプされていない状態となる。また、この待機状態では、ベース２０に装着されたカバー１８の左後凸部３７、左前凸部３８、右後凸部３５および右前凸部３６のそれぞれが、左後凸段部７６、左前凸段部７４、右後凸段部８２および右前凸段部８０のそれぞれと、接触する位置関係となっている。したがって、待機状態では、左後凸段部７６、左前凸段部７４、右後凸段部８２および右前凸段部８０のそれぞれが、左後凸部３７、左前凸部３８、右後凸部３５および右前凸部３６のそれぞれによって下方に向かって押圧され、再生デッキ１４の後端側が下方に向かって傾いた状態となっている。
【００２７】
図４に示す再生状態では、左Ｌ状延出部６６が左スライド部７２の左中凸段部７５から一段下に下がると共に、右Ｌ状延出部７０が右スライド部材７３の右中凸段部８１から一段下に下がった状態となっている。このため、クランプアーム６３の前端部に設けられるクランパ６４はつる巻バネ６７の付勢力によって押し下げられた状態となっている。したがって、再生状態では、光ディスクＡが、ターンテーブル９５にクランプされた状態となる。また、この再生状態では、ベース２０に装着されたカバー１８の左後凸部３７、左前凸部３８、右後凸部３５および右前凸部３６のそれぞれが、左後凸段部７６、左前凸段部７４、右後凸段部８２および右前凸段部８０のそれぞれと、接触しない位置関係となっている。したがって、再生状態では、左後凸段部７６、左前凸段部７４、右後凸段部８２および右前凸段部８０のそれぞれが、左後凸部３７、左前凸部３８、右後凸部３５および右前凸部３６のそれぞれによって押圧されることはない。このため、再生デッキ１４は後述するダンパ８４の復元力によって水平な状態を維持している。
【００２８】
次に、待機状態におけるディスク装置１０中の再生デッキ１４の状態について詳述する。
【００２９】
図５は、本発明の一実施の形態に係るディスク装置１０を待機状態において側面から透過的に見た概略図であり、（Ａ）は、左側から見た図であり、（Ｂ）は右側から見た図である。
【００３０】
まず、待機状態における再生デッキ１４の左側面の状態について詳述する。図５（Ａ）に示すように、左後凸部３７は、天板部２１から頂部３７ａを有するような略Ｖ字状の形態で押し曲げられている。左後凸部３７は、Ｖ字の後端側を形成する後方傾斜部３７ｂと、Ｖ字の前端側を形成する前方傾斜部３７ｃを有する。このうち前方傾斜部３７ｃは、天板部２１から急な傾斜で折れ曲がる急傾斜部３７ｄと、急傾斜部から緩い傾斜で折れ曲がる緩傾斜部３７ｅを有している。左前凸部３８は、天板部２１から頂部３８ａを有するような略Ｖ字状の形態で押し曲げられている。左前凸部３８は、Ｖ字の後端側を形成する後方傾斜部３８ｂと、Ｖ字の前端側を形成する前方傾斜部３８ｃを有する。図５（Ａ）に示すように、左後凸部３７は、左前凸部３８よりも突出量が大きくなるように深く押し曲げられている。
【００３１】
上述したように、左スライド部材７２は、左前凸段部７４および左中凸段部７５および左後凸段部７６を有している。これらは、縦長の略直方体形状の左基板部８３から上方に向かって突出している。また、左後凸段部７６は平滑な天面７６ａを有すると共に、その前端側および後端側にテーパ状の前方テーパ面７６ｂおよび後方テーパ面７６ｃをそれぞれ有している。左前凸段部７４は平滑な天面７４ａを有すると共に、その前端側および後端側にテーパ状の前方テーパ面７４ｂおよび後方テーパ面７４ｃをそれぞれ有する。左中凸段部７５は平滑な天面７５ａを有すると共に、その前端側および後端側にテーパ状の前方テーパ面７５ｂおよび後方テーパ面７５ｃをそれぞれ有する。また、左前凸段部７４、左中凸段部７５および左後凸段部７６は、左基板部８３に対してそれぞれ略同一の突出量を有している。
【００３２】
図５（Ａ）に示すように、待機状態においては、左後凸部３７が左後凸段部７６の上方に乗りあがると共に、左前凸部３８が左前凸段部７４の上方に乗りあがっている。具体的には、左後凸部３７の頂部３７ａが左後凸段部７６の天面７６ａに当接して左後凸段部７６を下方に押圧すると共に、左前凸部３８の頂部３８ａが左前凸段部７４の天面７４ａに当接して左前凸段部７４を下方に押圧する。この際、左後凸部３７は左前凸部３８よりも突出量が大きいため、左後凸段部７６は左前凸段部７４よりも大きく押圧される。したがって、左前凸段部７４および左後凸段部７６は押圧力を受けるものの、より大きく押圧される左後凸段部７６の方がダンパ８４を押し縮めて、左前凸段部７４よりも大きく下降する。その結果、再生デッキ１４の左側方は、その後端側が前端側よりも低くなるように斜めに傾いた状態となる。また、左Ｌ状延出部６６における左前方延出部６６ａは左中凸段部７５の上方に乗りあがっている。このため、クランプアーム６３の左側方はつる巻バネ６７の付勢力に抗して上方に押し上げられた状態となっている。
【００３３】
次に、待機状態における再生デッキ１４の右側面の状態について詳述する。図５（Ｂ）に示すように、右後凸部３５は、左後凸部３７と同様、頂部３５ａを有するような略Ｖ字状の形態で押し曲げられており、Ｖ字の後端側を形成する後方傾斜部３５ｂと、Ｖ字の前端側を形成する前方傾斜部３５ｃを有する。このうち後方傾斜部３５ｂは、急傾斜部３５ｄと緩傾斜部３５ｅを有している。右前凸部３６は、頂部３６ａを有するような略Ｖ字状に押し曲げられており、その突出量は右後凸部３５よりも小さくなっている。また、右前凸部３６は、後方傾斜部３６ｂと、前方傾斜部３６ｃを有する。
【００３４】
上述したように、右スライド部材７３は、右前凸段部８０および右中凸段部８１および右後凸段部８２を有している。これらは、縦長の略直方体形状の右基板部８５から上方に向かって突出している。また、右後凸段部８２は平滑な天面８２ａを有すると共に、その前端側にテーパ状の前方テーパ面８２ｂを有している。右前凸段部８０は平滑な天面８０ａを有すると共に、その前端側および後端側にテーパ状の前方テーパ面８０ｂおよび後方テーパ面８０ｃを有する。右中凸段部８１は、中央に略Ｖ字状の切り込みを有する天面８１ａを有すると共に、その前端側および後端側にテーパ状の前方テーパ面８１ｂおよび後方テーパ面８１ｃを有する。また、右前凸段部８０、右中凸段部８１および右後凸段部８２は、それぞれ略同一の突出量を有している。
【００３５】
図５（Ｂ）に示すように、待機状態においては、右後凸部３５が右後凸段部８２の上方に乗りあがると共に、右前凸部３６が右前凸段部８０の上方に乗りあがっている。具体的には、右後凸部３５の頂部３５ａが右後凸段部８２の天面８２ａに当接して右後凸段部８２を下方に押圧すると共に、右前凸部３６の頂部３６ａが右前凸段部８０の天面８０ａに当接して右前凸段部８０を下方に押圧する。この際、右後凸部３５は右前凸部３６よりも突出量が大きいため、右後凸段部８２は右前凸段部８０よりも大きく押圧される。したがって、右前凸段部８０および右後凸段部８２は押圧力を受けるものの、より大きく押圧される右後凸段部８２の方がダンパ８４を押し縮めて、右前凸段部８０よりも大きく下降する。その結果、再生デッキ１４の右側方は、その後端側が前端側よりも低くなるように斜めに傾いた状態となる。また、右Ｌ状延出部７０における右後方延出部７０ａは右中凸段部８１の上方に乗りあがりＶ字の切り込みに係合している。このため、クランプアーム６３の右側方はつる巻バネ６７の付勢力に抗して上方に押し上げられた状態となっている。
【００３６】
このように、再生デッキ１４は左右の後方側が前方側に比べ下方に下がった状態で待機していることとなる。
【００３７】
次に、再生状態におけるディスク装置１０中の再生デッキ１４の状態について詳述する。
【００３８】
図６は、本発明の一実施の形態に係るディスク装置１０を再生状態において側面から透過的に見た概略図であり、（Ａ）は、左側から見た図であり、（Ｂ）は右側から見た図である。
【００３９】
まず、再生状態における再生デッキ１４の左側面の状態について詳述する。図６（Ａ）に示すように、再生状態においては、左スライド部材７２は最も前方に位置している。このため、左スライド部材７２の後端は左後凸部３７の前方まで移動し、左後凸部３７が左後凸段部７６の背後に位置した状態となる。また、左前凸部３８は、左中凸段部７５と左前凸段部７４との間に形成される左前凹部８７の内部に位置している。したがって、左スライド部材７２は、左後凸部３７および左前凸部３８と接触することはなく、左後凸部３７および左前凸部３８によって下方に向かって押圧されることがない。このため、再生デッキ１４の左側方はダンパ８４によって支持されることにより水平状態を維持している。また、左前方延出部６６ａは、左中凸段部７５と左後凸段部７６との間に形成される左後凹部８８の内部に位置している。このため、左前方延出部６６ａは、つる巻バネ６７の付勢力に抗して上方に押し上げられることがない。その結果、クランプアーム６３の左側方は、つる巻バネ６７の付勢力によって押し下げられた状態となる。
【００４０】
次に、再生状態における再生デッキ１４の右側面の状態について詳述する。図６（Ｂ）に示すように、再生状態においては、右スライド部材７３は最も後方に位置している。このため、右スライド部材７３の右前凸段部８０は右前凸部３６の前方まで移動している。また、右後凸部３５は、右中凸段部８１と右前凸段部８２との間に形成される右後凹部９０の内部に位置している。したがって、右スライド部材７３は、右後凸部３５および右前凸部３６と接触することはなく、右後凸部３５および右前凸部３６によって下方に向かって押圧されることがない。このため、再生デッキ１４の右側方はダンパ８４によって支持されることにより水平状態を維持している。また、右後方延出部７０ａは、右中凸段部８１の天面８１ａに形成されるＶ字の切り込みとの係合から外れ、右中凸段部８１と右前凸段部８０との間に形成される右前凹部９１の内部に位置している。このため、右後方延出部７０ａは、つる巻バネ６７の付勢力に抗して上方に押し上げられることがない。その結果、クランプアーム６３の右側方は、つる巻バネ６７の付勢力によって押し下げられた状態となる。
【００４１】
このように、再生デッキ１４は、再生状態では水平状態を維持する。なお、再生状態では、クランパ６４がクランプアーム６３に係止されているつる巻バネ６７の付勢力によって下方向に再生デッキ１４を押し下げる力を加えている。
【００４２】
次に、光ディスクＡがスロット１６から挿入された後の動作およびスロット１６から排出される動作について説明する。
【００４３】
図７は、スロット１６に挿入された後の光ディスクＡの状態を説明するための側面の概略図であり、（Ａ）は光ディスクＡをスロット１６に挿入した直後の状態を説明するための図であり、（Ｂ）は、光ディスクＡが再生デッキ１４のクランプ位置に向かって搬入されている途中の状態を説明するための図である。続いて、図８は、スロット１６に挿入された後の光ディスクＡの状態を説明するための側面の概略図であり、（Ａ）は光ディスクＡが再生デッキ１４のクランプ位置に到達した状態を説明するための図であり、（Ｂ）は、光ディスクＡが再生デッキ１４においてクランプされている状態を説明するための図である。なお、図７および図８に示すように、ケース体１２の前壁部５３の前方には所定の距離を隔てて化粧パネル９２が配設されているものとする。
【００４４】
図７（Ａ）に示すように、光ディスクＡは化粧パネル９２に設けられるパネルスロット９２ａから挿入される。光ディスクＡがパネルスロット９２ａに挿入される際には再生デッキ１４は待機状態にある（図５参照）。したがって、光ディスクＡがパネルスロット９２ａに挿入される際には、再生デッキ１４は、その後端側が下方に向かってわずかに傾いた状態となっている（図５および図７（Ａ）参照）。光ディスクＡがパネルスロット９２ａおよびスロット１６の内部に、順次、挿入されると、光ディスクＡは、再生デッキ１４内をディスクガイド６２によって案内されながらクランプ位置に向かって搬送される。光ディスクＡがパネルスロット９２ａおよびスロット１６の内部に挿入された直後は、光ディスクＡの後端部Ａ１がディスクガイド６２と送りローラ９３とによって狭持された状態となる（図７（Ａ）参照）。再生デッキ１４は後端側が低く傾いた状態となっているため、ディスクガイド６２もその後端側が低くなるように傾いている。したがって、後端部Ａ１がディスクガイド６２と送りローラ９３とによって狭持された光ディスクＡは、ディスクガイド６２によってその後端側が低く傾くようにガイドされる。しかし、挿入直後の光ディスクＡは、その後端側のみがディスクガイド６２と送りローラ９３によって支持された状態であるので、自由端となる前端部Ａ２には光ディスクＡ自身の自重により下方に向かうモーメントＢが作用する。そのため、ディスクガイド６２によって後端側が低く傾くように作用する力に比べ、自重力となるモーメントＢが勝り、光ディスクＡは前端部Ａ２（搬入側とは反対の側）が下方に向かってわずかに傾いた状態となる（図７（Ａ）参照）。
【００４５】
図７（Ａ）の状態から光ディスクＡがさらに搬入されると、光ディスクＡの中央より後方側がディスクガイド６２と送りローラ９３とによって狭持された状態となる（図７（Ｂ）参照）。この状態では、光ディスクＡの前端部Ａ２がパネルスロット９２ａの近傍に位置している。なお、再生デッキ１４は、依然として、後端側が低く傾いた待機状態を維持している。そのため、光ディスクＡには、ディスクガイド６２によってその後端側が低く傾くような力が作用する。しかし、この状態では、光ディスクＡは、その中央より後方側がディスクガイド６２と送りローラ９３によって支持されている。このため、光ディスクＡの前端部Ａ２にモーメントＢ１が作用するが、モーメントＢ１と、ディスクガイド６２によって後端側が低く傾くように作用する力とが釣り合って、光ディスクＡは略水平な状態を維持する（図７（Ｂ）参照）。
【００４６】
図７（Ｂ）の状態から光ディスクＡがさらに搬入されると、光ディスクＡはクランプ位置まで案内される。クランプ位置では、光ディスクＡの中央が再生デッキ１４の内部に備えられたスピンドルモータ９４の上方に位置している。この状態では、光ディスクＡの前端部Ａ２近傍が、ディスクガイド６２に保持された状態となる（図８（Ａ）参照）。なお、再生デッキ１４は、依然として、後端側が低く傾いた待機状態を維持している。さらに、光ディスクＡは、その裏面もしくは後端部Ａ１が再生デッキ１４の内部に配置された不図示のトレーによって支持された状態となっている。このため、光ディスクＡは再生デッキ１４と略平行な状態を維持する。すなわち、光ディスクＡはディスク装置１０に対して、後端側が斜め下方に傾いた状態を維持する（図８（Ａ）参照）。
【００４７】
図８（Ａ）に示すように、光ディスクＡがクランプ位置まで搬送されると、光ディスクＡはクランパ６４によって下方に押圧され、スピンドルモータ９４に取り付けられたターンテーブル９５に装着される（図８（Ｂ）参照）。なお、光ディスクＡがターンテーブル９５に装着される際には、再生デッキ１４は、図５に示す待機状態から図６に示す再生状態に移行し、ディスク装置１０に対して水平な状態を維持している。
【００４８】
図７（Ａ）、図７（Ｂ）および図８（Ａ）、図８（Ｂ）により、光ディスクＡを挿入する状態を説明したが、これを図８（Ｂ）、図８（Ａ）、図７（Ｂ）、図７（Ａ）の順として、光ディスクＡを排出する状態であっても、図７（Ｂ）の状態で排出される光ディスクＡはディスク装置１０に対して水平な状態を維持している。
【００４９】
ここで、再生デッキ１４が待機状態から再生状態に移行する動作について説明する。図９は、再生デッキ１４が待機状態から再生状態に移行している途中の状態を側面から透過的に見た概略図であり、（Ａ）は、左側から見た図であり、（Ｂ）は右側から見た図である。
【００５０】
まず、再生デッキ１４の左側面の動作について説明する。上述したように、待機状態においては、左後凸部３７が左後凸段部７６の上方に乗りあがると共に、左前凸部３８が左前凸段部７４の上方に乗りあがっている。また、左前方延出部６６ａが左中凸段部７５の上方に乗りあがっている（図５（Ａ）参照）。この状態から、左スライド部材７２が前方へ移動すると、左後凸段部７６の天面７６ａが左後凸部３７の頂部３７ａと接触した状態で前方に向かって摺動すると共に、左前凸段部７４の天面７４ａも左前凸部３８の頂部３８ａと接触した状態で前方に向かって摺動する。また、左中凸段部７５の天面７５ａも左前方延出部６６ａの頂部６６ｂと接触した状態で前方に向かって摺動する。左スライド部材７２が前方へ向かって一定量移動すると、ダンパ８４の復元力により、左後凸段部７６の天面７６ａが左後凸部３７の頂部３７ａと接触する状態から、左後凸段部７６の角部７６ｄが緩傾斜部３７ｅと接触した状態となる。さらに、左スライド部材７２が前方へ向かって移動すると、角部７６ｄが緩傾斜部３７ｅと接触しながら前方に向かって摺動していく（図９（Ａ）参照）。その後、後方テーパ面７６ｃが急傾斜部３７ｄと面接触した状態となり、該後方テーパ面７６ｃは急傾斜部３７ｄと面接触ながら前方に向かって摺動していく。その後、左後凸段部７６は左後凸部３７との接触から開放され、左後凸部３７の前方に位置した状態となる（図６（Ａ）参照）。
【００５１】
また、左前凸段部７４は、天面７４ａが左前凸部３８の頂部３８ａと接触しながら前方に向かって摺動していき、その後、後方テーパ面７４ｃが前方傾斜部３８ｃと面接触した状態となる。そして、該後方テーパ面７４ｃは前方傾斜部３８ｃと面接触しながら前方に向かって摺動していく。さらに、左スライド部材７２が前方へ向かって移動すると、左前凸段部７４は左前凸部３８との接触から開放され、左前凹部８７の内部に納まった状態となる（図６（Ａ）参照）。
【００５２】
左中凸段部７５も、天面７５ａが左前方延出部６６ａの頂部６６ｂと接触しながら前方に向かって摺動していく。その後、後方テーパ面７５ｃが左前方延出部６６ａの前方傾斜部６６ｃと面接触した状態となり、該後方テーパ面７５ｃが前方傾斜部６６ｃと面接触しながら前方に向かって摺動していく。さらに、左スライド部材７２が前方へ向かって移動すると、左前方延出部６６ａは左中凸段部７５との接触から開放され、左後凹部８８の内部に納まった状態となる（図６（Ａ）参照）。
【００５３】
左前凸段部７４および左後凸段部７６が、左前凸部３８および左後凸部３７との接触から開放されると、再生デッキ１４の左側方はダンパ８４の復元力によって後端側が斜め下方に傾いた状態（図５（Ａ）参照）から水平な状態（図６（Ａ）参照）になる。また、左前方延出部６６ａは、左中凸段部７５との接触から開放されて、左後凹部８８の内部に入り込む。このため、クランプアーム６３の左側方はつる巻バネ６７の付勢力によって押し下げられる。
【００５４】
次に、再生デッキ１４の右側面の動作について説明する。上述したように、待機状態においては、右後凸部３５が右後凸段部８２の上方に乗りあがると共に、右前凸部３６が右前凸段部８０の上方に乗りあがっている。また、右後方延出部７０ａが右中凸段部８１の上方に乗りあがりＶ字の切り込みに係合している（図５（Ｂ）参照）。この状態から、右スライド部材７３が後方へ移動すると、右後凸段部８２の天面８２ａが右後凸部３５の頂部３５ａと接触した状態で後方に向かって摺動すると共に、右前凸段部８０の天面８０ａも右前凸部３６の頂部３６ａと接触した状態で後方に向かって摺動する。また、右後方延出部７０ａは、右中凸段部８１に形成されている切り込みとの係合から外れ、天面８１ａが右後方延出部７０ａの頂部７０ｂと接触した状態で後方に向かって摺動する。右スライド部材７３が後方へ向かって一定量移動すると、ダンパ８４の復元力により、右後凸段部８２の天面８２ａが右後凸部３５の頂部３５ａと摺動する状態から、右後凸段部８２の角部８２ｄが緩傾斜部３５ｅと接触した状態となる。さらに、右スライド部材７３が後方へ向かって移動すると、角部８２ｄが緩傾斜部３５ｅと接触しながら後方に向かって摺動していく（図９（Ｂ）参照）。その後、前方テーパ面８２ｂが急傾斜部３５ｄと面接触した状態となり、該前方テーパ面８２ｃは急傾斜部３５ｄと面接触ながら後方に向かって摺動していく。その後、右後凸段部８２は右後凸部３５との接触から開放され、右後凹部９０の内部に納まった状態となる（図６（Ｂ）参照）。
【００５５】
また、右前凸段部８０は、天面８０ａが右前凸部３６の頂部３６ａと接触しながら後方に向かって摺動していき、その後、前方テーパ面８０ｂが後方傾斜部３６ｂと面接触した状態となる。そして、該前方テーパ面８０ｂは後方傾斜部３６ｂと面接触しながら前方に向かって摺動していく。さらに、右スライド部材７３が後方へ向かって移動すると、右前凸段部８０は右前凸部３６との接触から開放され、右前凸部３６の背後に位置した状態となる（図６（Ｂ）参照）。
【００５６】
右中凸段部８１は、右後方延出部７０ａとの係合から外れ、その天面８１ａが右後方延出部７０ａの頂部７０ｂと接触しながら後方に向かって摺動していく。その後、前方テーパ面８１ｂが右後方延出部７０ａの後方傾斜部７０ｃと面接触した状態となり、該前方テーパ面８１ｂが後方傾斜部７０ｃと面接触しながら後方に向かって摺動していく。さらに、右スライド部材７３が後方へ向かって移動すると、右後方延出部７０ａは右中凸段部８１との接触から開放され、右前凹部９１の内部に納まった状態となる（図６（Ｂ）参照）。
【００５７】
右前凸段部８０および右後凸段部８２が、右前凸部３６および右後凸部３５との接触から開放されると、再生デッキ１４の左側方はダンパ８４の復元力によって後端側が斜め下方に傾いた状態（図５（Ｂ）参照）から水平な状態（図６（Ｂ）参照）になる。また、右後方延出部７０ａは、右中凸段部８１との接触から開放されて、右前凹部９１の内部に納まる。このため、クランプアーム６３の右側方はつる巻バネ６７の付勢力によって押し下げられる。
【００５８】
光ディスクＡの再生が終わると、該光ディスクＡはスロット１６からディスク装置１０の外側に排出される。光ディスクＡがスロット１６から排出される動作は、挿入される動作と主に逆の動作となる。まず、図８（Ｂ）に示すように、光ディスクＡがクランパ６４によって下方に押圧されて、ターンテーブル９５に装着されている状態（再生状態）から、再生デッキ１４の後端側が斜め下方に傾いた待機状態に移行する。この際、光ディスクＡはターンテーブル９５から外れると共に、再生デッキ１４と略平行な状態を維持する（図８（Ａ）参照）。その後、光ディスクＡは、再生デッキ１４と略平行な状態を維持したまま前方に向かって搬送される。そして、光ディスクＡの前端部Ａ２がスロット１６およびパネルスロット９２ａ近傍を通過する際には、上述したように光ディスクＡは略水平状態を維持する（図７（Ｂ）参照）。さらに、光ディスクＡが前方に向かって搬送されていくと、上述したように、光ディスクＡにモーメントＢが作用し、光ディスクＡが前方側に向かってやや傾いた状態になる。なお、再生デッキ１４が再生状態から待機状態に移行する際のスライド部材７２，７３の動作は、上述した待機状態から再生状態に移行する動作と逆の動作となるためその説明を省略する。
【００５９】
以上のように構成されたディスク装置１０では、待機状態では、再生デッキ１４の後端側が下方に向かって傾いた状態となる。このため、光ディスクＡが自己の自重によって傾こうとしても、光ディスクＡの前端部Ａ２がスロット１６およびパネルスロット９２ａ近傍を通過する際には、ディスクガイド６２によって作用する力と釣り合って、光ディスクＡを略水平な状態に維持することができる。このため、光ディスクＡをスロット１６およびパネルスロット９２ａに対して、水平な状態で搬入したり排出したりすることができる。したがって、スロット１６およびパネルスロット９２ａに対して、光ディスクＡを精度良く搬入および排出することが可能となる。その結果、スロット１６およびパネルスロット９２ａの設計において精度の高い位置決めが要求されることがなくなり、コストの削減を図ることが可能となる。
【００６０】
また、ディスク装置１０では、左後凸部３７、左前凸部３８、右後凸部３５および右前凸部３６のそれぞれによって、左後凸段部７６、左前凸段部７４、右後凸段部８２および右前凸段部８０のそれぞれを下方に押圧することで、再生デッキ１４の後端側が下方に傾くような構成となっている。このため、ケース体１２の天面側から再生デッキ１４を押圧するといった単純な構成で再生デッキ１４を傾かせることができる。
【００６１】
また、ディスク装置１０では、左スライド部材７２および右スライド部材７３をスライドさせることによって、待機状態と再生状態を作り出している。したがって、左スライド部材７２および右スライド部材７３をスライドさせるといった単純な動作で再生デッキ１４を傾かせることが可能となる。
【００６２】
また、ディスク装置１０では、左後凸部３７および左前凸部３８、並びに、右後凸部３５および右前凸部３６のように前後に並んで２つの凸部が設けられると共に、当該凸部３５，３６，３７，３８に対応するように、左後凸段部７６および左前凸段部７４、並びに、右後凸段部８２および右前凸段部８０が設けられている。このようのに前後に２つずつの凸部および凸段部を設けることで、再生デッキ１４の傾斜角度を正確に調節することが可能となる。
【００６３】
また、ディスク装置１０では、右後凸部３５および左後凸部３７は、左前凸部３８および右前凸部３６よりも下方への突出量が大きくなるように形成されている。したがって、後端側が低くなるように再生デッキ１４を確実に傾かせることが可能となる。
【００６４】
また、ディスク装置１０では、左後凸部３７における前方傾斜部３７ｃは、急傾斜部３７ｄと、緩傾斜部３７ｅを有している。このため、左後凸段部７６は、前後方向の移動量を少なくしつつ、上下方向の移動量を大きくしながら前方傾斜部３７ｃと摺動する。したがって、前方傾斜部３７ｃと左後凸段部７６との摺動負荷を低減できる。その結果、効率良く再生デッキ１４の後端側を昇降させることができる。なお、後方傾斜部３５ｂおよび右後凸段部８２に関しても同様の効果を有する。
【００６５】
また、ディスク装置１０では、左前方延出部６６ａおよび右後方延出部７０ａが、左中凸段部７５および右中凸段部８１の上方に乗りあがることによって、クランパ６４が押しあがる構成となっている。したがって、光ディスクＡの排出角度の調節と同時にクランパ６４の昇降動作を行うことが可能となる。
【００６６】
また、ディスク装置１０では、再生デッキ１４とベース２０との間にはダンパ８４が介在されている。このため、再生デッキ１４が傾斜状態を維持できると共に、再生デッキ１４を傾斜状態から水平状態に復帰させることが可能となる。
【００６７】
以上、本発明の一実施の形態について説明したが、本発明は上述の形態に限定されることなく、種々変形した形態にて実施可能である。例えば、光ディスクＡをスロット１６から挿入および排出するのではなく、ケース体１２にスロット１６のような狭い開口が設けられず、大きく開いたまたは切り欠かれた挿入部（排出部）があるものにも適用できる。なお、このような場合も本発明では「スロット」と呼ぶこととする。
【００６８】
上述の実施の形態では、左後凸部３７および左前凸部３８のそれぞれが、左後凸段部７６および左前凸段部７４のそれぞれを下方に押圧することで、再生デッキ１４の左側方における後端側を下方に傾かせているが、例えば、図１０（Ａ）に示すように、左スライド部材７２の側面に後方に向かって斜め下方に傾斜するカム溝９６を設けると共に、該カム溝９６に係合するピン９７をベース２０の左壁部５１から内方に向かって突出するように形成させ、左スライド部材７２を後方にスライドさせることで、再生デッキ１４の左側方を傾斜させるようにしても良い。また、右前凸部３６および右後凸部３５のそれぞれが、左後凸段部８２および右前凸段部８０のそれぞれを下方に押圧することで、再生デッキ１４の右側方における後端側を下方に傾かせているが、図１０（Ｂ）に示すように、右スライド材部材７３の側面に前方に向かって斜め下方に傾斜するカム溝９８を設けると共に、該カム溝９８に係合するピン９９をベース２０の右壁部５２から内方に向かって突出するように形成させ、右スライド部材７３を前方にスライドさせることで、再生デッキ１４の左側方を傾斜させるようにしても良い。
【００６９】
また、上述の実施の形態では、左スライド部材７２を後方にスライドさせると共に、右スライド部材７３を前方にスライドさせることにより、再生デッキ１４の待機状態を作り出すような構成となっているが、左スライド部材７２を前方にスライドさせ、右スライド部材７３を後方にスライドさるように、再生デッキ１４を待機状態とするための左スライド部材７２および右スライド部材７３のスライド方向を互いに逆方向としても良い。また、左スライド部材７２および左スライド部材７３を共に前方や後方の同方向にスライドさせることによって、待機状態を作り出すような構成としても良い。
【００７０】
また、上述の実施の形態では、天板部２１には、左右両側にそれぞれ２つずつの合計４つの凸部３７，３８，３６，３５を設けているが、凸部の数は左右２つずつに限定されるものではなく、例えば、左右に１つずつ設けるようにしても良いし、左右に３つずつ設けるようにしても良い。この場合、凸部の数に対応するように凸段部を形成する必要がある。
【００７１】
また、上述の実施の形態では、左中凸段部７５および右中凸段部８１を設けることで、クランパ６４の動作を規制しているが、これらを設けることなく他の機構によってクランパ６４の動作を規制するようにしても良い。
【００７２】
また、上述の実施の形態では、左後凸部３７および左前凸部３８の突出量を異なる大きさとしているが、同じ大きさの突出量としても良い。また、右前凸部３６および右後凸部３５の突出量もそれぞれ同じ大きさとしても良い。
【００７３】
また、上述の実施の形態では、左後凸段部７６、左中凸段部７５および左前凸段部７４のそれぞれの突出量を同じ大きさとしているが、これらの突出量を異なるように構成しても良い。また、右後凸段部８２、右中凸段部８１および右前凸段部８０の突出量も異なるようにしても良い。
【００７４】
また、上述の実施の形態では、左後凸部３７における前方傾斜部３７ｃを急傾斜部３７ｄと緩傾斜部３７ｅの２段に傾斜させているが、１つの傾斜で構成しても良いし、３段以上に傾斜させても良い。右後凸部３５の後方傾斜部３５ｂに関しても同様に、１つの傾斜で構成しても良いし、３段以上に傾斜させても良い。また、左前凸部３８および右前凸部３６の後方傾斜部３８ｂ，３６ｂ等を２段以上に傾斜させても良い。また、左後凸段部７６の後方テーパ面７６ｃもしくは右後凸段部８２の前方テーパ面８２ｂ等を２段以上に傾斜させるようにしても良い。
【００７５】
また、上述の実施の形態では、各凸段部７４，７５，７６，８０，８１，８２の天面７４ａ，７５ａ，７６ａ，８０ａ，８１ａ，８２ａは平坦に形成されているが、平坦な平面に限らず、例えば、曲面状等の他の形状に形成するようにしても良い。
【産業上の利用可能性】
【００７６】
本発明のディスク装置は、ディスク媒体の情報を記録する装置、再生する装置、または記録再生する装置や当該機器を製造する産業において利用することができる。
【図面の簡単な説明】
【００７７】
【図１】本発明の一実施の形態に係るディスク装置のメカ機構の斜視図である。
【図２】本発明の一実施の形態に係るディスク装置からケース体のカバーを取り除いた状態を示す斜視図であり、左スライド部材が最も後方の位置まで移動し、右スライド部材が最も前方の位置まで移動した状態を示す図である。
【図３】図１中のカバーを裏返した状態を示す斜視図である。
【図４】本発明の一実施の形態に係るディスク装置からケース体のカバーを取り除いた状態を示す斜視図であり、左スライド部材が最も前方の位置まで移動し、右スライド部材が最も後方の位置まで移動した状態を示す図である。
【図５】本発明の一実施の形態に係るディスク装置を待機状態において側面から透過的に見た概略図であり、（Ａ）は、左側から見た図であり、（Ｂ）は右側から見た図である。
【図６】本発明の一実施の形態に係るディスク装置を再生状態において側面から透過的に見た概略図であり、（Ａ）は、左側から見た図であり、（Ｂ）は右側から見た図である。
【図７】図１中のスロットに挿入された後の光ディスクの状態を説明するための側面の概略図であり、（Ａ）は光ディスクをスロットに挿入した直後の状態を説明するための図であり、（Ｂ）は、光ディスクが再生デッキのクランプ位置に向かって搬入されている途中の状態を説明するための図である。
【図８】図１中のスロットに挿入された後の光ディスクの状態を説明するための側面の概略図であり、（Ａ）は光ディスクが再生デッキのクランプ位置に到達した状態を説明するための図であり、（Ｂ）は、光ディスクが再生デッキにおいてクランプされている状態を説明するための図である。
【図９】本発明の一実施の形態に係るディスク装置中の再生デッキが待機状態から再生状態に移行している途中の状態を側面から透過的に見た概略図であり、（Ａ）は、左側から見た図であり、（Ｂ）は右側から見た図である。
【図１０】本発明の左スライド部材および右スライド部材の変形例を示す図である。
【符号の説明】
【００７８】
１０…ディスク装置
１２…ケース体
１４…再生デッキ（デッキ）
１６…スロット
３５…右後凸部（突出部）
３６…右前凸部（突出部）
３７…左後凸部（突出部）
３８…左前凸部（突出部）
４０…底板部（底板）
７２…左スライド部材（スライド部材）
７３…右スライド部材（スライド部材）
７４…左前凸段部（段差部）
７６…左後凸段部（段差部）
８０…右前凸段部（段差部）
８２…右後凸段部（段差部）
８４…ダンパ（弾性部材）
Ａ…光ディスク（ディスク媒体）
【図１】
0005176620.tif 000002
【図２】
0005176620.tif 000003
【図３】
0005176620.tif 000004
【図４】
0005176620.tif 000005
【図５】
0005176620.tif 000006
【図６】
0005176620.tif 000007
【図７】
0005176620.tif 000008
【図８】
0005176620.tif 000009
【図９】
0005176620.tif 000010
【図１０】
0005176620.tif 000011